(57)【要約】【課題】多数の投稿者により様々な方法で投稿される動画を、面白みのある１つの動画として容易に再生する。【解決手段】本発明にかかる情報処理装置は、テーマを識別するテーマ識別子に関連付けて、ユーザ端末から送信される動画を受け付ける動画受付手段と、前記動画に対応付けられた付帯情報を取得する付帯情報取得手段と、前記付帯情報に基づいて、前記テーマ識別子と関連付けられた複数の動画を再生するための再生順序を決定する再生順序決定手段とを有する。【選択図】図１２
2016039547.tif 000002
【特許請求の範囲】
【請求項１】
テーマを識別するテーマ識別子に関連付けて、ユーザ端末から送信される動画を受け付ける動画受付手段と、
前記動画に対応付けられた付帯情報を取得する付帯情報取得手段と、
前記付帯情報に基づいて、前記テーマ識別子と関連付けられた複数の動画を再生するための再生順序を決定する再生順序決定手段と、
を有することを特徴とする情報処理装置。
【請求項２】
前記テーマ識別子と関連付けて、新たな動画が受け付けられた場合、
前記付帯情報取得手段は、該新たな動画に対応付けられた付帯情報を取得し、
前記再生順序決定手段は、該新たな動画を含む動画の前記付帯情報に基づいて、前記テーマ識別子と関連付けられた該新たな動画を含む複数の動画を再生するための再生順序を更新すること、
を特徴とする請求項１記載の情報処理装置。
【請求項３】
前記ユーザ端末に、前記再生順序により再生される動画を提供する動画提供手段とを有し、
前記動画提供手段による動画の再生中に、前記テーマ識別子と関連付けて、新たな動画が受け付けられた場合、
前記付帯情報取得手段は、該新たな動画に対応付けられた付帯情報を取得し、
前記再生順序決定手段は、該新たな動画を含む動画の前記付帯情報に基づいて、前記テーマ識別子と関連付けられた該新たな動画を含む複数の動画を再生するための再生順序を更新し、
前記動画提供手段は、前記ユーザ端末に、更新された前記再生順序により再生される動画を提供すること、
を特徴とする請求項２記載の情報処理装置。
【請求項４】
前記ユーザ端末に、前記新たな動画を示す静止画像のＵＲＬを送信する動画提供手段と、
を有することを特徴とする請求項２記載の情報処理装置。
【請求項５】
前記再生順序は、
複数の動画を連続再生するための再生順序であること、
を特徴とする請求項１ないし４何れか一項記載の情報処理装置。
【請求項６】
前記付帯情報は、少なくとも、前記動画の撮影日時、前記動画の撮影位置、前記動画に対する評価情報の何れかを含むこと、
を特徴とする請求項１ないし５何れか一項記載の情報処理装置。
【請求項７】
前記再生順序決定手段は、
前記テーマの分類に応じた前記付帯情報に基づいて、前記テーマ識別子と関連付けられた複数の動画を連続再生するための再生順序を決定すること、
を特徴とする請求項４記載の情報処理装置。
【請求項８】
前記再生順序決定手段は、
前記動画の撮影日時、前記動画の撮影位置、前記動画に対する評価情報の何れか一の前記付帯情報に基づいて、前記再生順序を決定できない場合、さらに該何れか一の付帯情報とは異なる付帯情報に基づいて、前記再生順序を決定すること、
を特徴とする請求項６又は７記載の情報処理装置。
【請求項９】
情報処理装置が、
テーマを識別するテーマ識別子に関連付けて、ユーザ端末から送信される動画を受け付ける動画受付手段と、
前記動画に対応付けられた付帯情報を取得する付帯情報取得手順と、
前記付帯情報に基づいて、前記テーマ識別子と関連付けられた複数の動画を再生するための再生順序を決定する再生順序決定手順と、
を実行することを特徴とする情報処理方法。
【請求項１０】
コンピュータに、
テーマを識別するテーマ識別子に関連付けて、ユーザ端末から送信される動画を受け付ける動画受付手段と、
前記動画に対応付けられた付帯情報を取得する付帯情報取得手段と、
前記付帯情報に基づいて、前記テーマ識別子と関連付けられた複数の動画を再生するための再生順序を決定する再生順序決定手段として機能させる情報処理プログラム。
【発明の詳細な説明】
【技術分野】
【０００１】
本発明は、情報処理装置、情報処理方法、及び情報処理プログラムの技術に関する。
【背景技術】
【０００２】
近年、デジタルカメラやスマートフォンなどの普及により、誰もが手軽に動画を撮影できるようになった。また、これに伴い、Ｗｅｂ上などで、誰もが撮影した動画を投稿・共有できる動画投稿サービスも広く普及している。
【０００３】
このような動画投稿サービスでは、投稿可能なデータサイズの制限や動画編集上の理由等により、１人の投稿者より内容の連続する動画が複数の動画として投稿される場合があるが、ユーザが内容が連続するこれら全動画を視聴する際は、複数の動画を内容の順番に従って一つずつ探し出して再生するなどの手間がかかる。
【０００４】
これに関する技術として、例えば、特許文献１には、共通タイトルを持つ動画をシリーズ動画として探索し、各動画の再生順をタイトル中の順番表記に従って定め、各シリーズ動画を再生順に順次再生出力することで、内容が連続する複数の動画を、より容易に視聴可能とする発明が記載されている。
【先行技術文献】
【特許文献】
【０００５】
【特許文献１】特開２０１０−２６８１０３号公報
【発明の概要】
【発明が解決しようとする課題】
【０００６】
ここで、上述の動画投稿サービスにおいて、例えば、共通タイトルを題材とした動画であっても、１人の投稿者より、多数の投稿者によって多様な視点で投稿される多様な動画を連続再生することで、より面白みのある１つの動画コンテンツを提供できる可能性がある。
【０００７】
しかしながら、上記特許文献１記載の発明は、共通タイトルを持つ動画をシリーズ動画とするため、このような切り口からのみだけでは、多数の投稿者により様々な視点で投稿される動画を、面白みのある１つの動画として編集し再生することは困難である。
【０００８】
本発明は上記の点に鑑み提案されたものであり、その目的とするところは、多数の投稿者により様々な表方法で投稿される動画を、面白みのある１つの動画として容易に再生することにある。
【課題を解決するための手段】
【０００９】
上記の課題を解決するため、本発明にかかる情報処理装置は、テーマを識別するテーマ識別子に関連付けて、ユーザ端末から送信される動画を受け付ける動画受付手段と、前記動画に対応付けられた付帯情報を取得する付帯情報取得手段と、前記付帯情報に基づいて、前記テーマ識別子と関連付けられた複数の動画を再生するための再生順序を決定する再生順序決定手段と有する。
【発明の効果】
【００１０】
本発明の実施形態によれば、多数の投稿者により様々な表方法で投稿される動画を、面白みのある１つの動画として容易に再生することができる。
【図面の簡単な説明】
【００１１】
【図１】動画投稿システム１００のネットワーク構成図である。
【図２】動画投稿サーバ１のハードウェア構成例を示す図である。
【図３】動画投稿サーバ１のソフトウェア構成例を示す図である。
【図４】投稿動画ＤＢ１０２のデータ例を示す図である。
【図５】投稿動画の一例を示す図である。
【図６】各投稿動画の「再生順序」の決定例１を示す図である。
【図７】動画投稿サービス画面例１を示す図である。
【図８】各投稿動画の「再生順序」の決定例２を示す図である。
【図９】動画投稿サービス画面例２を示す図である。
【図１０】各投稿動画の「再生順序」の決定例３を示す図である。
【図１１】動画投稿サービス画面例３を示す図である。
【図１２】動画投稿サーバ１の再生順序決定処理を示すフローチャートである。
【図１３】動画投稿サーバ１の動画再生処理を示すフローチャートである。
【発明を実施するための形態】
【００１２】
以下、本発明の好適な実施形態につき説明する。
【００１３】
＜構成＞
（ネットワーク構成）
図１は、本発明の一実施形態にかかる動画投稿サービスシステム１００のネットワーク構成図である。動画投稿サービスシステム１００は、動画投稿サーバ１及び端末２が、ネットワーク３を介して接続される。
【００１４】
動画投稿サーバ１は、ユーザの端末２に対して、インターネット上で動画投稿サービスを提供するＷｅｂサーバとして構成される。動画投稿サーバ１は、例えば、ユーザの端末２から、動画の「テーマ」（「トピック」、「お題」ともいえる）と、その「テーマ」にちなんだ動画とが投稿（アップロード）されると、サイト上、「テーマ」ごとに投稿動画を閲覧可能に公開する。さらに、動画投稿サーバ１は、「テーマ」を投稿したユーザとは異なるユーザの端末２から広くその「テーマ」にちなんだ動画の投稿を受け付ける。その「テーマ」にちなんだ動画が複数投稿されると、その「テーマ」の下、投稿された複数の動画を編集し、１つの連続動画を作成する。連続動画は、その「テーマ」の下、不特定多数のユーザの端末２から閲覧（再生）可能に公開される。
【００１５】
端末２は、例えば、動画を撮影できるカメラや、カメラ付き携帯電話、スマートフォン、パーソナルコンピュータなど、ユーザの利用するユーザ端末である。ユーザは端末２を用いて、動画投稿サービスを提供するＷｅｂサーバとしての動画投稿サーバ１にアクセスし、撮影した動画を投稿する。また、端末２は、動画投稿サーバ１上で公開された個々の投稿動画やその連続動画を閲覧（再生）することも可能である。
【００１６】
ネットワーク３は、有線、無線を含むネットワークであり、例えば、動画投稿サーバ１及び端末２を接続するインターネット網である。
【００１７】
（ハードウェア構成）
図２は、本発明の一実施形態にかかる動画投稿サーバ１のハードウェア構成例を示す図である。図２に示されるように、動画投稿サーバ１は、ハードウェア構成として、ＣＰＵ（Central Processing Unit）１１、ＲＯＭ（Read Only Memory）１２、ＲＡＭ（Random Access Memory）１３、ＨＤＤ（Hard Disk Drive）１４、入力装置１５、表示装置１６、通信装置１７を有する。
【００１８】
ＣＰＵ１１は、各種プログラムの実行や演算処理を行う。ＲＯＭ１２は、起動時に必要なプログラムなどが記憶されている。ＲＡＭ１３は、ＣＰＵ１１での処理を一時的に記憶したり、データを記憶したりする作業エリアである。ＨＤＤ１４は、各種データ及びプログラムを格納する。入力装置１５は、例えばキーボードやマウスである。表示装置１６は、ディスプレイである。通信装置１７は、他装置との通信を行う。
【００１９】
（ソフトウェア構成）
図３は、本発明の一実施形態にかかる動画投稿サーバ１のソフトウェア構成例を示す図である。動画投稿サーバ１は、主な機能部として、動画受付部１０１、投稿動画ＤＢ（Database）１０２、付帯情報取得部１０３、再生順序決定部１０４、動画提供部１０５を有する。
【００２０】
動画受付部１０１は、ユーザの端末２から投稿動画を受け付ける。投稿動画は、各々のテーマに関連付けて、テーマにちなんだ動画が投稿される。
【００２１】
投稿動画ＤＢ１０２は、ユーザの端末２から投稿された投稿動画を格納するデータベースである。投稿動画は、各々のテーマに関連付けて投稿されるので、投稿動画ＤＢ１０２では、「テーマ」と、その「テーマ」にちなんだ投稿動画データとが関連付けられて格納される。
【００２２】
付帯情報取得部１０３は、投稿動画に対応付けられた付帯情報を取得する。付帯情報としては、投稿動画の撮影日時刻、撮影位置、評価などの情報がある。
【００２３】
再生順序決定部１０４は、同一テーマの下、ユーザの端末２から投稿された複数の投稿動画を連続再生するため、その付帯情報に基づいて、複数の投稿動画を連続再生するための再生順序を決定する。
【００２４】
動画提供部１０５は、ユーザの端末２から、投稿動画の連続再生要求を受信すると、複数の投稿動画が、再生順序決定部１０４により決定された再生順序に従って再生される連続動画を提供する。
【００２５】
以上、動画投稿サーバ１の主な機能構成である。これらの各機能は、実際には動画投稿サーバ１のＣＰＵ１１が実行するプログラムによりコンピュータに実現させることで実現される。
【００２６】
（投稿動画ＤＢ１０２）
図４は、本発明の一実施形態にかかる投稿動画ＤＢ１０２のデータ例を示す図である。投稿動画ＤＢ１０２は、「テーマＩＤ」４０１、「テーマ」４０２及び「ジャンル／タグ」４０３ごとに、「投稿動画」４０４、「投稿者ＩＤ」４０５、「投稿日」４０６、「撮影日時」４０７、「撮影位置」４０８、「評価値」４０９、「ＳＮＳへのシェア数」４１０、「再生順序」４１１が対応付けて格納される。
【００２７】
「テーマＩＤ」４０１は、投稿動画ＤＢ１０２に登録されたテーマ識別子である。新しいテーマが登録されるたびに付番される。
【００２８】
「テーマ」４０２は、ユーザの端末２から登録（設定）された動画のテーマである。動画投稿サーバ１の動画投稿サービス上、「テーマ」が投稿されると、その「テーマ」と関連付けるように、招待されたユーザもしくは不特定多数のユーザから、「テーマ」にちなんだ動画が投稿（アップロード）される。なお、「テーマ」４０２は、一般ユーザからのみならず、動画投稿サービスの運営者が登録することも可能である。
【００２９】
図４の投稿動画ＤＢ１０２を参照すると、テーマ「○○さん○○さんの披露宴 in ○○ホテル」に対して、披露宴の出席者であるユーザから、テーマにちなんだ動画が投稿されている。これら投稿動画は、各々の出席者自らのフレームワーク、タイミング、視点により様々な表現方法で披露宴の様子を撮影した動画である。
【００３０】
「ジャンル／タグ」４０３は、テーマに対して付与されたテーマのジャンル又はタグである。ユーザの端末２から「テーマ」４０２が登録（設定）される際、併せてそのテーマの所属するジャンル又はタグが選択（入力）される。
【００３１】
「投稿動画」４０４は、端末２により、「テーマ」にちなんで投稿された動画データ（動画ファイル）である。投稿動画は、端末２から動画投稿サーバ１に対してアップロードされる。
【００３２】
「投稿者ＩＤ」４０５は、投稿動画を投稿したユーザのＩＤである。
【００３３】
「投稿日」４０６は、動画投稿サーバ１の動画投稿サービスに、投稿動画が投稿された日時刻である。
【００３４】
「撮影日時」４０７は、端末２等により、投稿動画が撮影された日時刻である。撮影日時の情報は、年、月、日、時、分、秒、及び曜日を含む。また、撮影開始日時及び撮影終了日時のいずれをも含む。「撮影日時」４０７は、投稿動画に付随するメタデータから取得されてもよいし、投稿動画が投稿される際、投稿者により入力されてもよい。
【００３５】
「撮影位置」４０８は、端末２等により、投稿動画が撮影された位置である。「撮影位置」４０８は、例えば、経緯緯度の地図座標や、具体的な地名や場所等の情報で表現されうる。また、「撮影位置」４０８は、投稿動画に付随するメタデータから取得されてもよいし、投稿動画が投稿される際、投稿者により入力されてもよい。
【００３６】
「評価値」４０９は、投稿動画に対して与えられた評価の値である。投稿動画は、サイト上、閲覧可能に公開される。第３者ユーザは投稿動画を閲覧し、各々で評価値を付与することができる。なお、評価値は、星の数や点数などで表現されうる。
【００３７】
「ＳＮＳへのシェア数」４１０は、投稿動画が各種のＳＮＳ（social networking service）へシェアされた回数である。
【００３８】
「再生順序」４１１は、同一の「テーマ」にちなんで投稿された複数の投稿動画を連続再生する場合、投稿動画を再生する順序を示す。複数の投稿動画を「再生順序」４１１に従って再生させることで、複数の投稿動画が、１つの「テーマ」の下、あたかも１つの連続動画として再生される。
【００３９】
＜投稿動画の連続再生＞
図５は、本発明の一実施形態にかかる投稿動画の一例を示す図である。図５に示されるように、投稿動画ＤＢ１０２において、同一の「テーマ」の下、５名のユーザ（user01、user02、user03、user04、user05）により、合計８つの投稿動画（001a、001b、002a、003a、004a、005a、005b、005c）が投稿されたものとする。
【００４０】
以下、同一の「テーマ」にちなんで投稿されたこれら８つの投稿動画を連続再生するべく、各投稿動画の「再生順序」４１１を決定する。これにより、これら８つ投稿動画を決定された再生順序に従って再生することで、複数の投稿動画が、ある１つの「テーマ」の下、あたかも１つの連続動画となって再生される。
【００４１】
（再生順序の決定例１）
図６は、本発明の一実施形態にかかる各投稿動画の「再生順序」の決定例１を示す図である。再生順序の決定例１では、投稿動画の「撮影日時」４０７に基づいて、「再生順序」４１１を決定する。
【００４２】
図６に示されるように、８つの各投稿動画（001a、001b、002a、003a、004a、005a、005b、005c）は、各々の投稿動画の「撮影日時」４０７が古い順に（又は新しい順に）、各投稿動画を時系列に並べることができる。
【００４３】
そしてこの並べた順序で、各々の投稿動画の「再生順序」４１１を決定する。具体的には、投稿動画ＤＢ１０２において、「撮影日時」４０７の古い順に、投稿動画005a、001a、003a、004a、005b、002a、001b、005cの「再生順序」４１１を、それぞれ、１、２、３、４、５、６、７、８とする。
【００４４】
これにより、同一の「テーマ」にちなんで投稿された複数の投稿動画が、時系列に並べられ、あたかも時系列にシーンが進行していく１つの動画コンテンツ（連続動画ともいう）として再生可能となる。
【００４５】
また、１つ１つの投稿動画は、異なるユーザにより個々に撮影されたものでため、各々のユーザ自らのフレームワーク、タイミング、視点により様々な表現方法で撮影されたオリジナリティ溢れる動画である。よって、このような投稿動画を連続再生することで、複数ユーザ全員で、１人のユーザだけでは生み出せないより面白みのある１つの動画コンテンツを容易に作成することが可能である。
【００４６】
また、各々のユーザは、公開募集されている「テーマ」を検索するなどすれば、自分の好きな「テーマ」の下、製作者の一員として１つの動画コンテンツを制作できる。
【００４７】
なお、新しく投稿画像が追加されると、新しい投稿画像を含め、あらためて各々の投稿動画の「撮影日時」４０７に基づいて、各投稿動画を時系列に並べ、その並べた順序で、各々の投稿動画の「再生順序」４１１が決定される。
【００４８】
図７は、本発明の一実施形態にかかる動画投稿サービス画面例１を示す図である。本動画投稿サービス画面は、動画投稿サービス上で登録されている複数のテーマの中から、ユーザが所望する一のテーマを選択すると、端末２の画面上で表示される。
【００４９】
テーマ欄７００には、例えば、「○○さん○○さんの披露宴 in ○○ホテル」という選択されたテーマが表示される。
【００５０】
投稿動画欄７０１には、テーマ欄７００のテーマにちなんで投稿された複数の投稿動画005a、001a、003a、004a、005b・・・が、左から右方向へ向かって再生順序７０２に並べられて配置される。この中からユーザが任意の投稿動画を再生したい場合、再生したい投稿動画上の再生ボタン７０３を押下する。
【００５１】
一方、ユーザが連続動画７０４を再生したい場合、連続動画７０４上の再生ボタン７０５を押下する。再生ボタン７０５が押下されると、投稿動画欄７０１に配置されている複数の投稿動画005a、001a、003a、004a、005b・・・が、左から右方向の順序に向かって連続的に再生されることで、連続動画７０４の再生が実現する。
【００５２】
これにより、「○○さん○○さんの披露宴 in ○○ホテル」というテーマにちなんで投稿された複数の「披露宴」動画が、時間に沿った流れで次々と進行していく１つの動画コンテンツとして再生される。
【００５３】
なお、新しく投稿画像が追加されると、新しい投稿画像を含め、あらためて各々の投稿動画の「撮影日時」４０７に基づいて、各々の投稿動画の「再生順序」４１１が決定（更新）される。そして、投稿動画欄７０１の投稿画像は、新しい投稿画像を含め、再決定された再生順序に従って再配置される。
【００５４】
また、連続動画７０４の表紙画像（サムネイル画像）には、「再生順序」４１１が最初の投稿動画（例えば、投稿動画005a）の表示画像ではなく、「投稿日」４０６が最新の投稿動画（例えば、投稿動画004a）の表示画像が用いられる。これにより、新しく投稿画像が追加される前と後で、連続動画７０４の表紙画像は違うものになるため、ユーザは新しく投稿画像が追加されたこと、及び、投稿画像が追加される前とは異なる連続動画７０４となっていることを容易に認識できる。なお、「投稿日」４０６が最新の投稿動画の表示画像は、端末２が動画投稿サーバ１から動画投稿サービス画面を呼び出すと、動画投稿サーバ１は、動画投稿サービス画面中、連続動画７０４の表紙画像（サムネイル画像）として、「投稿日」４０６が最新の投稿動画（例えば、投稿動画004a）の静止画像及び静止画像へのリンクＵＲＬを埋め込んで、端末２に動画投稿サービス画面を返送する。
【００５５】
（再生順序の決定例２）
図８は、本発明の一実施形態にかかる各投稿動画の「再生順序」の決定例２を示す図である。再生順序の決定例２では、投稿動画の「撮影位置」４０８に基づいて、「再生順序」４１１を決定する。
【００５６】
図８に示されるように、８つの各投稿動画（001a、001b、002a、003a、004a、005a、005b、005c）は、各々の投稿動画の「撮影位置」４０８に基づいて、各投稿動画を分類（グルーピング）することができる。
【００５７】
分類（グルーピング）は、撮影位置が同一である投稿動画を同一グループに分類する。また、もう少し位置範囲を広げ、撮影位置が近隣地域や同一施設内（例えば、公園、遊園地、動物園など）である投稿動画を同一グループに分類することもできる。さらに位置範囲を広げ、撮影位置が同一の市区町村、県、国の投稿動画を同一グループに分類することもできる。いずれとするかはテーマ内容との関係において適宜定め得る。
【００５８】
そしてこの分類したグループ単位の順序で、各々の投稿動画の「再生順序」４１１を決定する。具体的には、投稿動画ＤＢ１０２の「撮影位置」４０８に基づいて、投稿動画004a、002aの第１グループ、投稿動画001a、003a、001bの第２グループ、投稿動画005a、005b、005cの第３グループに分類した場合、投稿動画004a、002a、001a、003a、001b、005a、005b、005cの「再生順序」４１１を、それぞれ、１、２、３、４、５、６、７、８とする。なお、同一グループ内の投稿動画は、「投稿日」４０６や「撮影日時」４０７に基づいて、各投稿動画の再生順序を決定することができる。
【００５９】
これにより、同一の「テーマ」にちなんで投稿された複数の投稿動画が、撮影位置毎に並べられ、あたかも場所単位でシーンが進行していく１つの動画コンテンツとして再生可能となる。
【００６０】
図９は、本発明の一実施形態にかかる動画投稿サービス画面例２を示す図である。本動画投稿サービス画面は、動画投稿サービス上で登録されている複数のテーマの中から、ユーザが所望する一のテーマを選択すると、端末２の画面上で表示される。
【００６１】
テーマ欄９００には、例えば、「日本動物園めぐり」という選択されたテーマが表示される。
【００６２】
投稿動画欄９０１には、テーマ欄９００のテーマにちなんで投稿された複数の投稿動画004a、002a、001a、003a、001b・・・が、左から右方向へ向かって再生順序７０２に並べられて配置される。この中からユーザが任意の投稿動画を再生したい場合、再生したい投稿動画上の再生ボタン９０３を押下する。
【００６３】
一方、ユーザが連続動画９０４を再生したい場合、連続動画９０４上の再生ボタン９０５を押下する。再生ボタン９０５が押下されると、投稿動画欄９０１に配置されている複数の投稿動画004a、002a、001a、003a、001b・・・が、左から右方向の順序に向かって連続的に再生されることで、連続動画９０４の再生が実現する。
【００６４】
これにより、「日本動物園めぐり」というテーマにちなんで投稿された複数の「動物園」動画が、「動物園」ごとに次々と紹介されていく１つの動画コンテンツとして再生される。
【００６５】
（再生順序の決定例３）
図１０は、本発明の一実施形態にかかる各投稿動画の「再生順序」の決定例３を示す図である。再生順序の決定例３では、投稿動画の「評価値」４０９に基づいて、「再生順序」４１１を決定する。
【００６６】
図１０に示されるように、８つの各投稿動画（001a、001b、002a、003a、004a、005a、005b、005c）は、各々の投稿動画の「評価値」４０９が高い順に、各投稿動画を並べることができる。
【００６７】
そしてこの並べた順序で、各々の投稿動画の「再生順序」４１１を決定する。具体的には、投稿動画ＤＢ１０２において、「評価値」４０９が高い順に、投稿動画005b、001b、001a、005a、003a、004a、002a、005cの「再生順序」４１１を、それぞれ、１、２、３、４、５、６、７、８とする。
【００６８】
これにより、同一の「テーマ」にちなんで投稿された複数の投稿動画が、評価の高い順に並べられ、ユーザ評価の高いシーンから進行していく１つの動画コンテンツとして再生可能となる。
【００６９】
「評価値」４０９は、投稿動画に対して与えられた評価の値である。投稿動画は、サイト上、閲覧可能に公開される。第３者ユーザは投稿動画を閲覧し、各々で評価値を付与することができる。
【００７０】
なお、「評価値」４０９に代え、投稿動画の「ＳＮＳへのシェア数」４１０に基づいて、「再生順序」４１１を決定してもよい。いわばＳＮＳへのシェア数が多い投稿動画は、人気があり、ユーザの評価が高いものと同視することができるからである。
【００７１】
図１１は、本発明の一実施形態にかかる動画投稿サービス画面例３を示す図である。本動画投稿サービス画面は、動画投稿サービス上で登録されている複数のテーマの中から、ユーザが所望する一のテーマを選択すると、端末２の画面上で表示される。
【００７２】
テーマ欄１１００には、例えば、「面白い顔」という選択されたテーマが表示される。
【００７３】
投稿動画欄１１０１には、テーマ欄１１００のテーマにちなんで投稿された複数の投稿動画005b、001b、001a、005a、003a・・・が、左から右方向へ向かって再生順序１１０２に並べられて配置される。この中からユーザが任意の投稿動画を再生したい場合、再生したい投稿動画上の再生ボタン１１０３を押下する。
【００７４】
一方、ユーザが連続動画１１０４を再生したい場合、連続動画１１０４上の再生ボタン１１０５を押下する。再生ボタン１１０５が押下されると、投稿動画欄１１０１に配置されている複数の投稿動画005b、001b、001a、005a、003a・・・が、左から右方向の順序に向かって連続的に再生されることで、連続動画１１０４の再生が実現する。
【００７５】
これにより、「面白い顔」というテーマにちなんで投稿された複数の「面白い顔」動画が、特に「面白い顔」が順々に登場していく１つの動画コンテンツとして再生される。
【００７６】
なお、投稿動画の「評価値」４０９が低い順に、各々の投稿動画の「再生順序」４１１を決定することも可能である。この場合、「面白い顔」というテーマにちなんで投稿された複数の「面白い顔」動画が、はじめはそれほど面白くないものから登場していき、最後に一番面白い顔登場するといった１つの動画コンテンツとして再生される。
【００７７】
なお、再生順序の決定例１〜３を組み合わせて、投稿動画の「撮影日時」４０７、「撮影位置」４０８、「評価値」４０９のうち、２つ以上に基づいて、「再生順序」４１１を決定することも可能である。
【００７８】
例えば、テーマ「２０１４ワールドカップ」にちなんで投稿された複数の投稿動画の場合、投稿動画の「撮影位置」４０８及び「撮影日時」４０７に基づいて「再生順序」４１１を決定するとよい。この場合、投稿動画は、世界各地それぞれで自国のチームを応援するサポータ―の動画が、まず国や地域ごとに、そして時系列での再生順序で連続再生される。仮に、投稿動画の「撮影日時」４０７だけで再生順序を決定すると、動画の場面が世界各地にあちらこちら混在してしまうので、必ずしも連続動画として見やすいものではない。
【００７９】
（補足）
上記再生順序の決定例１〜３においては、投稿動画の付帯情報のうち、投稿動画の「撮影日時」４０７、「撮影位置」４０８、及び「評価値」４０９に基づいて、「再生順序」４１１を決定した。しかしながら、投稿動画の付帯情報のうち、いずれの付帯情報を用いるかは、「テーマ」の内容（例えば、テーマに付与されたジャンルやタグ）によって運用するのが適切である。
【００８０】
（１）「撮影日時」型
例えば、「テーマ」の内容が結婚式、スポーツの試合、又は司会進行型イベントなどに関連するものである場合、投稿動画は、進行時間の流れがあるので、「撮影日時」４０７に基づいて時系列順に再生されるのが、動画コンテンツとして適切である。結婚式やスポーツは同一場所で開催されるため、「撮影位置」４０８に基づいて場所単位順に再生することは、再生順序として有意義ではない。
【００８１】
（２）「撮影位置」型
また、例えば、「テーマ」の内容が観光施設、観光地、名所などの各地の施設や場所に関連するものである場合、投稿動画は、「撮影位置」４０８に基づいて場所単位順に再生されるのが、動画コンテンツとして適切である。各地の施設や場所はそれぞれ位置が異なるため、「撮影日時」４０７に基づいて時系列順に再生することは、再生順序として有意義ではない。
【００８２】
（３）「評価値」型
さらに、例えば、「テーマ」の内容が、時間や場所とは無関係なお祝いメッセージや面白コンテンツなどに関連するものである場合、投稿動画は、「評価値」４０９に基づいて評価順に再生されるのが、動画コンテンツとして適切である。なお、お祝いメッセージや面白コンテンツのように、時間や場所とは無関係で、メッセージやコンテンツの内容そのものに意味がある動画の場合、「撮影日時」４０７又は「撮影位置」４０８に基づいて、時系列順や場所単位順に再生することは、再生順序として有意義ではない。
【００８３】
＜動作＞
図１２は、本発明の一実施形態にかかる動画投稿サーバ１の再生順序決定処理を示すフローチャートである。以下、図面を参照しながら、詳しく説明する。
【００８４】
Ｓ１：動画受付部１０１は、投稿動画が投稿されたか否かを判定する。ユーザが、例えば、動画を投稿したい「テーマ」の動画投稿サービス画面において、動画投稿を行うことで、投稿動画が投稿される。
【００８５】
Ｓ２：動画受付部１０１は、投稿動画が投稿されると、投稿動画ＤＢ１０２上、投稿動画が投稿されたテーマの「テーマＩＤ」４０１に関連付け、「投稿動画」４０４に投稿動画を格納する。また併せて、動画受付部１０１は、投稿動画の付帯情報として、「投稿者ＩＤ」４０５、「投稿日」４０６、「撮影日時」４０７、「撮影位置」４０８を対応付けて格納する（図４）。
【００８６】
Ｓ３：次に、付帯情報取得部１０３は、Ｓ２で投稿動画が格納されると、その投稿動画の「テーマＩＤ」４０１に関連付けられている「投稿動画」４０４は、複数存在するか否かを判定する。「テーマＩＤ」４０１に関連付けられている「投稿動画」４０４に、２つ以上の投稿動画が格納されている場合、Ｓ４へ進む。
【００８７】
Ｓ４：付帯情報取得部１０３は、その投稿動画の「テーマＩＤ」４０１に関連付けられている「ジャンル／タグ」４０３を取得する。
【００８８】
Ｓ５：付帯情報取得部１０３は、Ｓ４で取得した「ジャンル／タグ」４０３に基づいて、再生順序の決定に用いる付帯情報を選択する。「ジャンル／タグ」４０３は、「テーマ」４０２が登録（設定）される際、テーマに対して付与されたテーマのジャンル又はタグである。よって、「ジャンル／タグ」４０３は、テーマがどのような内容であるのか、即ち、テーマ分類を示すものである。
【００８９】
例えば、「ジャンル／タグ」４０３が、結婚式、スポーツの試合、又は司会進行型イベントなどに関連するものである場合（上記「撮影日時」型）、投稿動画は、進行時間の流れがあるので、「撮影日時」４０７に基づいて時系列順に再生されるのが、動画コンテンツとして適切である。よって、この場合、再生順序の決定に用いる付帯情報として、「撮影日時」４０７が選択される。
【００９０】
また例えば、「ジャンル／タグ」４０３が、観光施設、観光地、名所などの各地の施設や場所に関連するものである場合（上記「撮影位置」型）、投稿動画は、「撮影位置」４０８に基づいて場所単位順に再生されるのが、動画コンテンツとして適切である。よって、この場合、再生順序の決定に用いる付帯情報として、「撮影位置」４０８が選択される。
【００９１】
また例えば、「ジャンル／タグ」４０３が、時間や場所とは無関係なお祝いメッセージや面白コンテンツなどに関連するものである場合（上記「評価値」型）、投稿動画は、「評価値」４０９に基づいて評価順に再生されるのが、動画コンテンツとして適切である。よって、この場合、再生順序の決定に用いる付帯情報として、「評価値」４０９が選択される。
【００９２】
なお、「ジャンル／タグ」４０３又は再生順序の決定の仕方次第で、２つ以上の付帯情報を選択することも可能である。
【００９３】
また、投稿動画の付帯情報のうち、「評価値」４０９については、ユーザからの評価、シェアを受けてはじめて付与される情報であるので、これら情報が格納されている場合に取得する。
【００９４】
Ｓ６：付帯情報取得部１０３は、その投稿動画の「テーマＩＤ」４０１に関連付けられている複数の「投稿動画」４０４から、Ｓ５で選択した付帯情報をそれぞれ取得する。例えば、Ｓ５で、再生順序の決定に用いる付帯情報として、「撮影日時」４０７が選択された場合、複数の「投稿動画」４０４から、「撮影日時」４０７をそれぞれ取得する。
【００９５】
Ｓ７：再生順序決定部１０４は、Ｓ６で複数の動画から取得した付帯情報に基づいて、「投稿動画」４０４において格納されている複数の投稿動画の再生順序を決定する。
【００９６】
なお、再生順序の決定例１〜３を組み合わせて、投稿動画の「撮影日時」４０７、「撮影位置」４０８、「評価値」４０９のうち、２つ以上に基づいて、「再生順序」４１１を決定することも可能である。
【００９７】
Ｓ８：再生順序決定部１０４は、投稿動画ＤＢ１０２上、それぞれの「投稿動画」４０４ごとに、「再生順序」４１１に決定された再生順序を格納する（図４）。
【００９８】
なお、新しく投稿画像が追加されると（Ｓ１）、新しい投稿画像を含め、あらためて各々の投稿動画の付帯情報に基づいて（Ｓ６）、各々の投稿動画の「再生順序」４１１が決定される（Ｓ８）。そして、投稿画像は、新しい投稿画像を含め、再決定された再生順序に従って再生される。
【００９９】
図１３は、本発明の一実施形態にかかる動画投稿サーバ１の動画再生処理を示すフローチャートである。
【０１００】
Ｓ２１：動画提供部１０５は、ユーザの端末２から、投稿動画の連続再生要求を受信したか否かを判定する。例えば、図７のように、「テーマ」の動画投稿サービス画面において、ユーザが投稿動画の連続動画７０４を再生したい場合、連続動画７０４上の再生ボタン７０５を押下することで、連続再生要求が動画提供部１０５に送信される。
【０１０１】
Ｓ２２：動画提供部１０５は、投稿動画ＤＢ１０２から、テーマの「テーマＩＤ」４０１に関連付けられている「投稿動画」４０４の「再生順序」４１１を全て取得する。
【０１０２】
Ｓ２３：動画提供部１０５は、「再生順序」４１１に従って、「投稿動画」４０４を端末２に送信する。これにより、「投稿動画」４０４の複数動画が、再生順序決定部１０４により決定された「再生順序」４０３に従って再生される連続動画が提供されるので、端末２上、同一テーマにちなんで投稿された複数の投稿動画が１つの動画コンテンツとして再生される。
【０１０３】
なお、上記の再生順序決定処理は、投稿動画が投稿された直後のタイミングで実行されるものとして説明した。しかしながら、再生順序決定処理を実行するタイミングとしては、他にも例えば、動画投稿サービス上で登録されている複数のテーマの中から、ユーザにより所望する一のテーマを選択され、動画投稿サービス画面が生成されるタイミングがある。つまり、動画投稿サービス画面の生成過程において、そのテーマの下投稿された複数の投稿動画の再生順序が決定された上で、連続動画７０４が動画投稿サービス画面上に配置される（図７）。
【０１０４】
また、再生順序決定処理を実行するタイミングとしては、他にも例えば、動画投稿サービス画面上で、ユーザにより連続動画７０４上の再生ボタン７０５が押下され、連続再生要求が動画提供部１０５に送信されたタイミングなどもある（図７）。つまり、動画投稿サービス画面上から連続再生要求が発生するタイミングで、そのテーマの下投稿された複数の投稿動画の再生順序が決定されることで、連続動画７０４が再生される。
【０１０５】
また、再生順序決定処理を実行するタイミングとしては、他にも例えば、動画投稿サービス画面上で、ユーザにより連続動画７０４上の再生ボタン７０５が押下され、連続動画７０４が再生中であるタイミングなどもある（図７）。連続動画７０４の再生中に、同一テーマの下、新しく投稿画像が追加（投稿）されると、新しい投稿画像を含め、あらためて各々の投稿動画の付帯情報に基づいて（Ｓ６）、各々の投稿動画の「再生順序」４１１が即座に決定される（Ｓ８）。そして、新しく投稿画像の再生順序が、連続動画７０４で未再生の投稿動画よりも後の再生順序であった場合には、新しい投稿画像を含めて、連続動画７０４の再生は継続される。つまり、連続動画７０４の再生中に新しく投稿画像が追加された場合、追加されたばかりの投稿画像が連続動画７０４内に反映されて再生されうる。これにより、ユーザはリアルタイムに、追加された投稿動画を含めた連続動画７０４を楽しむことが可能である。
【０１０６】
＜総括＞
以上、本発明の実施形態によれば、多数の投稿者により様々な表方法で投稿される動画を、面白みのある１つの動画として容易に再生することが可能である。
【０１０７】
また、本発明の好適な実施の形態により本発明を説明した。ここでは特定の具体例を示して本発明を説明したが、特許請求の範囲に定義された本発明の広範な趣旨および範囲から逸脱することなく、これら具体例に様々な修正および変更を加えることができることは明らかである。すなわち、具体例の詳細および添付の図面により本発明が限定されるものと解釈してはならない。
【符号の説明】
【０１０８】
１        動画投稿サーバ
２        端末
３        ネットワーク
１１        ＣＰＵ
１２        ＲＯＭ
１３        ＲＡＭ
１４        入力装置
１５        出力装置
１６        通信装置
１７        ＨＤＤ
１００    動画投稿サービスシステム
１０１    動画受付部
１０２    投稿動画ＤＢ
１０３    付帯情報取得部
１０４    再生順序決定部
１０５    動画提供部
【図１】
2016039547.tif 000003
【図２】
2016039547.tif 000004
【図３】
2016039547.tif 000005
【図４】
2016039547.tif 000006
【図５】
2016039547.tif 000007
【図６】
2016039547.tif 000008
【図７】
2016039547.tif 000009
【図８】
2016039547.tif 000010
【図９】
2016039547.tif 000011
【図１０】
2016039547.tif 000012
【図１１】
2016039547.tif 000013
【図１２】
2016039547.tif 000014
【図１３】
2016039547.tif 000015